(57)【特許請求の範囲】
【請求項１】
光を発するよう構成される照明ユニットと、前記照明ユニットによって発せられる前記光を制御するよう構成される制御ユニットとを有する照明デバイスであって、前記制御ユニットが、前記照明ユニットによって発せられる前記光の強度を、少なくとも、ハイの設定から中間の設定を介してローの設定へ、及び／又はその逆に、変更するよう構成され、前記ハイの設定の前記強度が、前記中間の設定の前記強度より高く、前記中間の設定の前記強度が、前記ローの設定の前記強度より高く、前記ローの設定及び前記ハイの設定が、前記照明ユニットによって発せられる前記光の、前記中間の設定より高い色温度を各々与え、前記ローの設定の前記色温度が、前記ハイの設定の前記色温度より高い照明デバイス。
【請求項２】
前記制御ユニットが、前記照明ユニットによって発せられる前記光の前記強度及び色温度を、同時に、徐々に、３つの前記設定の間で変更するよう動作可能である請求項１に記載の照明デバイス。
【請求項３】
前記制御ユニットが、50乃至100lmの範囲内の、好ましくは50乃至80lmの範囲内の、より好ましくは50乃至70lmの範囲内の前記照明ユニットのブレークポイント・ルーメン出力において、前記強度を変更しながら、前記照明ユニットによって発せられる前記光の前記色温度を低下させるのを止めて、上昇させ始めるよう構成される請求項２に記載の照明デバイス。
【請求項４】
前記照明ユニットによって発せられる前記光の色温度における徐々の変更が、黒体線に従う請求項２又は３に記載の照明デバイス。
【請求項５】
前記制御ユニットが、ユーザが、前記照明ユニットによって発せられる前記光の前記強度及び色温度を、同時に、徐々に、前記ハイの設定から、前記中間の設定へ、更に前記ローの設定へ、及び／又はその逆に、変更することを可能にするよう構成される入力手段を含むユーザーインターフェースを有する請求項１乃至４のいずれか一項に記載の照明デバイス。
【請求項６】
前記ハイの設定が、2700Kより高い、好ましくは3000Kより高い、より好ましくは3500Kより高い色温度を有し、前記中間の設定が、2700K未満の、好ましくは2600K未満の、より好ましくは2500K未満の色温度を有し、前記ローの設定が、2700Kより高い、好ましくは3000Kより高い、より好ましくは3500Kより高い色温度を有する請求項１乃至５のいずれか一項に記載の照明デバイス。
【請求項７】
前記ローの設定が、3900Ｋから4300Kまでの範囲内の色温度を有する請求項１乃至６のいずれか一項に記載の照明デバイス。
【請求項８】
前記ハイの設定において前記照明ユニットによって発せられる前記光が、前記ローの設定において前記照明ユニットによって発せられる前記光とは異なるスペクトルを有する請求項１乃至７のいずれか一項に記載の照明デバイス。
【請求項９】
前記照明ユニットが、
互いに異なる波長ピークを備える青色光を発するよう適合される少なくとも２つの選択的に作動可能な青色光源、及び
互いに異なる波長ピークを備える赤色光を発するよう適合される少なくとも２つの選択的に作動可能な赤色光源のうちの少なくとも一方を有する請求項８に記載の照明デバイス。
【請求項１０】
前記照明ユニットが、第１色温度の白色光を発するよう適合される第１蛍光体変換発光ダイオードと、前記第１色温度とは異なる第２色温度の白色光を発するよう適合される第２蛍光体変換発光ダイオードとを有する請求項１乃至９のいずれか一項に記載の照明デバイス。
【請求項１１】
前記制御ユニットが、月の太陰周期のデータに基づいて前記ローの設定の前記強度及び色温度を調節するよう構成される請求項１乃至１０のいずれか一項に記載の照明デバイス。
【請求項１２】
請求項１乃至１１のいずれか一項に記載の照明デバイスを少なくとも１つ有する照明装置。
【請求項１３】
光出射窓又は面を更に有し、各照明デバイスの前記制御ユニットが、0.5lm/cm2未満の、好ましくは0.4lm/cm2未満の、より好ましくは0.3lm/cm2未満の前記光出射窓又は面における強度において、前記強度を変更しながら、前記照明ユニットによって発せられる前記光の前記色温度を低下させるのを止めて、上昇させ始めるよう構成される請求項１２に記載の照明装置。
【請求項１４】
照明ユニットによって発せられる光を制御する方法であって、前記方法が、前記照明ユニットによって発せられる前記光の強度を、少なくとも、ハイの設定から中間の設定を介してローの設定へ、及び／又はその逆に、変更するステップを有し、前記ハイの設定の前記強度が、前記中間の設定の前記強度より高く、前記中間の設定の前記強度が、前記ローの設定の前記強度より高く、前記ローの設定及び前記ハイの設定が、前記照明ユニットによって発せられる前記光の、前記中間の設定より高い色温度を各々与え、前記ローの設定の前記色温度が、前記ハイの設定の前記色温度より高い方法。
【発明の詳細な説明】
【技術分野】
【０００１】
本発明は、照明デバイス、少なくとも１つのこのような照明デバイスを有する照明装置、及び照明デバイスを制御する方法に関する。本照明デバイスは、機能的な照明、及び夜間照明のために用いられ得る。
【背景技術】
【０００２】
常夜灯は、標準的な電球及び照明器具より非常に少ない強度を有する。光度は、通常、部屋及び部屋の中の物体を見るのに十分なだけであり、眠りにつくのを妨げるほど明るくはない。それはまた、子供達が、目覚めて、自身が真っ暗闇の中にいることに気付くことがないようにするのに役立つ。それは、夜に目を覚ます場合、眠って、月の明かりを見ているように感じる。
【０００３】
CN104406101は、調節可能な明るさ及び色温度を備えるＬＥＤ天井ランプを開示している。調節可能な明るさ及び色温度を備えるＬＥＤ天井ランプは、明るさ及び色温度が、外部環境の変化に応じて自動的に調節されることができる、又はユーザによって様々なプロファイルが定義され、故に、１つのキーによって適切な明るさ及び色温度が選択されることができ、例えば、読書モードのために、最高輝度及び昼光の色温度が供給されることができ、睡眠モードのために、明るさ及び色温度が、夜間照明の明るさ及び色温度に低減されることができ、時間が遅延させるやり方などで、ランプが自動的にオフにされることができるというような、利点を有する。
【０００４】
US 2010/0084996は、可変光属性を有する照明及び／又は照明効果を供給する少なくとも１つの光源、及び照明設定に関連する複数のインジケータを有する選択インジケータを含む照明対話システムを開示している。選択スイッチの起動は、第１インジケータに関連する第１光属性を有する光を供給するよう光源を制御する。動的モードにおいては、様々なインジケータとポインタの位置関係が、時間の関数として変化して、異なるインジケータを指し示し、現在位置合わせされているインジケータに従って第１光属性を変化させる。
【発明の概要】
【発明が解決しようとする課題】
【０００５】
本発明の目的は、機能的な照明及び夜間照明のために用いられ得る、改善された又は他の照明デバイスを提供することにある。
【課題を解決するための手段】
【０００６】
本発明の第１態様によれば、この及び他の目的は、光を発するよう構成される照明ユニットと、前記照明ユニットによって発せられる前記光を制御するよう構成される制御ユニットとを有する照明デバイスであって、前記制御ユニットが、前記照明ユニットによって発せられる前記光の強度を、少なくとも、ハイの設定から中間の設定を介してローの設定へ、及び／又はその逆に（即ち、前記ローの設定から前記中間の設定を介して前記ハイの設定へ）、変更するよう構成され、前記ハイの設定の前記強度が、前記中間の設定の前記強度より高く、前記中間の設定の前記強度が、前記ローの設定の前記強度より高く、前記ローの設定及び前記ハイの設定が、前記照明ユニットによって発せられる前記光の、前記中間の設定より高い色温度を各々与え、前記ローの設定の前記色温度が、前記ハイの設定の前記色温度より高い照明デバイスによって達成される。
【０００７】
前記ハイの設定（高い強度、「より高い」色温度）は、機能的な照明のために用いられることができ、前記ローの設定（低い強度、「より高い」色温度）は、夜間照明のために用いられることができる。
【０００８】
本発明は、夜間照明又は常夜灯は、睡眠及び休息のために有益であるリラックス感を与える月からの光を模倣しているので、夜間照明又は常夜灯には高い色温度が有益であるという理解に基づいている。一般に、前記ハイの設定の前記色温度は、前記ローの設定の前記色温度より低い。月の色温度は、3900乃至4300K範囲内にあるのに対して、ほとんどの建物においては、人工光は、2700乃至3500Kの範囲内にあるので、通常、そうである。更に、前記中間の設定は、真の多機能照明デバイスを提供する。
【０００９】
前記制御ユニットは、前記照明ユニットによって発せられる前記光の前記強度及び色温度を、同時に、徐々に、３つの前記設定の間で変更するよう動作可能であってもよい。前記強度及び色温度を前記設定の間で徐々に変更することによって、調光器又は調光機能が実現され、広範囲のアプリケーションのための所望の照明が得られ得る。他の例においては、前記制御ユニットは、前記照明ユニットによって発せられる前記光の前記強度及び色温度を、同時にではあるが、離散的に、３つの前記設定の間で変更するよう動作可能であってもよい。
【００１０】
前記制御ユニットは、50乃至100lmの範囲内の、好ましくは50乃至80lmの範囲内の、より好ましくは50乃至70lmの範囲内の前記照明ユニットのブレークポイント・ルーメン出力において、前記強度を変更しながら、前記照明ユニットによって発せられる前記光の前記色温度を低下させるのを止めて、上昇させ始めるよう構成され得る。換言すれば、前記色温度は、前記ブレークポイント・ルーメン出力において最低値を有する。
【００１１】
前記照明ユニットによって発せられる前記光の色温度における徐々の変更は、黒体線（ＢＢＬ、黒体軌跡又はプランク軌跡とも呼ばれる）に従ってもよい。色温度における徐々の変更は、他の例においては、ＢＢＬの近く（例えば、20 SDCM以内、より好ましくは15 SDCM以内、最も好ましくは10 SDCM以内）であってもよく、又は（例えば、>3000K又は>4000Kの）高い色温度においてだけ黒体線に従ってもよい。ＢＢＬの近くにあると、白熱灯をよりよく模倣する。
【００１２】
前記制御ユニットは、ユーザが、前記照明ユニットによって発せられる前記光の前記強度及び色温度を、同時に、徐々に、前記ハイの設定から、前記中間の設定へ、更に前記ローの設定へ、及び／又はその逆に、変更することを可能にするよう構成される入力手段を含むユーザーインターフェースを有してもよい。前記ユーザーインターフェースは、専用のユーザーインターフェースであり得る、又は前記ユーザーインターフェースは、例えば、スマートフォン又はタブレット又はスマートウォッチ又はコンピュータにおけるアプリケーションとして実施され得る。また、前記ユーザーインターフェースは、物理ボタン若しくは同様のものを含んでもよく（上述した入力手段は、例えば、スライドボタン若しくは回転ボタンであってもよく）、又は前記ユーザーインターフェースは、画面、例えば、タッチスクリーンにおいて「バーチャルで」供給されてもよく、又は前記ユーザーインターフェースは、例えば、音声制御ユーザーインターフェースであってもよい。
【００１３】
前記ハイの設定は、2700Kより高い、好ましくは3000Kより高い、より好ましくは3500Kより高い色温度を有してもよく、前記中間の設定は、2700K未満の、好ましくは2600K未満の、より好ましくは2500K未満の色温度を有してもよく、前記ローの設定は、2700Kより高い、好ましくは3000Kより高い、より好ましくは3500Kより高い色温度を有してもよい。前記ローの設定は、3900Ｋから4300Kまでの範囲内の色温度を有してもよい（これは、典型的には、月の色温度である）。
【００１４】
前記ローの設定の前記色温度は、前記ハイの設定の前記色温度より大きくてもよく、前記ハイの設定の前記色温度は、前記中間の設定の前記色温度より大きい。他の例においては、前記ハイの設定の前記色温度は、前記ローの設定の前記色温度より大きくてもよく、前記ローの設定の色温度は、前記中間の設定の色温度より大きい。即ち、前記ハイの設定の前記色温度は、機能的な照明（前記ハイの設定）の色温度の好みに適応するために、前記ローの設定の前記色温度より低くてもよく、又は高くてもよい。
【００１５】
発せられる前記光が、両方の設定において同じ（高い）色温度を有する場合であっても、前記ハイの設定において前記照明ユニットによって発せられる前記光は、前記ローの設定において前記照明ユニットによって発せられる前記光とは異なるスペクトルを有してもよい。これは、昼光及び常夜灯を模倣するのに役立つ。例えば、前記ハイの設定（「昼光」）において前記照明ユニットによって発せられる前記光は、460乃至480nmの範囲内に波長ピークを有する青色光で作成されることができ、前記ローの設定（「常夜灯」）において前記照明ユニットによって発せられる前記光は、440乃至460nmの範囲内に波長ピークを有する青色光で作成されることができる。これの利点は、前記ハイの設定において前記照明ユニットによって発せられる前記光は、メラトニン抑制により覚醒及び認知能力を向上させ得るのに対して、前記ローの設定において前記照明ユニットによって発せられる前記光はあまり覚醒をもたらさないというものである。
【００１６】
上述した異なるスペクトルを達成するために、前記照明ユニットは、互いに異なる波長ピーク（例えば、前記ハイの設定のための470nm及び前記ローの設定のための440nm）を備える青色光を発するよう適合される少なくとも２つの選択的に作動可能な青色光源、及び互いに異なる波長ピーク（例えば、前記ハイの設定のための625nm及び前記ローの設定のための660nm）を備える赤色光を発するよう適合される少なくとも２つの選択的に作動可能な赤色光源のうちの少なくとも一方を有してもよい。
【００１７】
前記照明ユニットは、第１色温度の白色光を発するよう適合される第１蛍光体変換発光ダイオードと、前記第１色温度とは異なる第２色温度の白色光を発するよう適合される第２蛍光体変換発光ダイオードとを有してもよい。このやり方においては、前記ハイ、中間及びローの設定は、前記蛍光体変換発光ダイオードの光を適切に組み合わせる又は混ぜ合わせることによって、２つの光源だけを用いて達成され得る。
【００１８】
前記制御ユニットは、月の太陰周期のデータに基づいて前記ローの設定の前記強度及び色温度を調節するよう構成されてもよい。例えば、前記ローの設定は、満月においては、他の太陰周期（月相）における強度及び色温度より高い強度及び色温度を有してもよい。月の太陰周期のデータは、外部から受信されてもよく、又は前記照明デバイスにおいてローカルに記憶されてもよい。
【００１９】
本発明の第２態様によれば、第１態様による照明デバイスを少なくとも１つ有する照明装置が提供される。前記照明装置は、例えば、ランプ又は照明器具であり得る。
【００２０】
前記照明装置は、光出射窓又は面を更に有してもよく、各照明デバイスの前記制御ユニットは、0.5lm/cm2未満の、好ましくは0.4lm/cm2未満の、より好ましくは0.3lm/cm2未満の前記光出射窓又は面における強度において、前記強度を変更しながら、前記照明ユニットによって発せられる前記光の前記色温度を低下させるのを止めて、上昇させ始めるよう構成される。
【００２１】
本発明の第３態様によれば、照明ユニットによって発せられる光を制御する方法であって、前記方法が、前記照明ユニットによって発せられる前記光の強度を、少なくとも、ハイの設定から中間の設定を介してローの設定へ、及び／又はその逆に、変更するステップを有し、前記ハイの設定の前記強度が、前記中間の設定の前記強度より高く、前記中間の設定の前記強度が、前記ローの設定の前記強度より高く、前記ローの設定及び前記ハイの設定が、前記照明ユニットによって発せられる前記光の、前記中間の設定より高い色温度を各々与える方法が提供される。この態様は、先の態様と同じ又は同様の特徴及び技術的効果を呈してもよく、逆もまた同じである。
【００２２】
本発明は、請求項における特徴の全てのあり得る組み合わせに関することに注意されたい。
【図面の簡単な説明】
【００２３】
本発明の現在好ましい実施例を示す添付の図面を参照して、本発明をより詳細に説明する。
【図１】本発明の実施例による照明デバイスの概略図である。
【図２】図１の照明デバイスの強度及び色温度を示す。
【図３】本発明の変形例による強度及び色温度を示す。
【図４ａ】色温度における様々な変更を示す。
【図４ｂ】色温度における様々な変更を示す。
【図４ｃ】色温度における様々な変更を示す。
【図５】本照明デバイスの照明ユニットの変形例を示す。
【図６】本照明デバイスの照明ユニットの変形例を示す。
【図７】本照明デバイスの照明ユニットの変形例を示す。
【図８】本照明デバイスのユーザーインターフェースの変形例を示す。
【図９】本照明デバイスのユーザーインターフェースの変形例を示す。
【図１０】本照明デバイスのユーザーインターフェースの変形例を示す。
【図１１】本照明デバイスのユーザーインターフェースの変形例を示す。
【図１２】本発明の或る態様による異なる照明装置を示す。
【図１３】本発明の或る態様による異なる照明装置を示す。  図において図示されているような層及び領域のサイズは、例示目的のために誇張される場合があり、従って、本発明の実施例の一般構造を例示するよう提供される場合がある。同様の参照符号は、全体にわたって同様の要素を指す。
【発明を実施するための形態】
【００２４】
ここで、本発明の現在好ましい実施例が示されている添付の図面を参照して、本発明を、以下で、より詳細に説明する。しかしながら、本発明は、多様な形態で実施されることができ、本願明細書に記載されている実施例に限定されると解釈されるべきでない。もっと正確に言えば、これらの実施例は、完全及び完璧を期すために示されており、当業者に本発明の範囲を十分に伝える。本願明細書において示されているような強度及び／又は色温度は、積分球を用いて測定される得る。
【００２５】
図１は、本発明の実施例による照明デバイス１を示している。照明デバイス１は、照明ユニット２と、制御ユニット３とを有する。
【００２６】
照明ユニット２は、一般に、光を発するよう構成される。照明ユニット２は、下で更に記述される複数の光源４、例えば、発光ダイオードを含み得る。照明ユニット２は、500Kと20000Kとの間の、好ましくは800Kと10000Kとの間の、より好ましくは1000Kと6000Kとの間の色温度範囲内の光を発するよう構成され得る。
【００２７】
制御ユニット３は、照明ユニット２に接続される。制御ユニット３は、一般に、ユーザーインターフェース５を有する。ユーザーインターフェース５は、専用のユーザーインターフェースであってもよく、又はユーザーインターフェース５は、例えば、スマートフォン若しくはタブレット若しくはスマートウォッチ若しくはコンピュータにおけるアプリケーション若しくはソフトウェアとして実施されてもよい。また、ユーザーインターフェース５は、物理ボタン若しくは同様のものを含んでもよく、又はユーザーインターフェースは、画面、例えば、タッチスクリーンにおいて「バーチャルで」提供されてもよく、又はユーザーインターフェース５は、音声制御ユーザーインターフェースであってもよい。
【００２８】
制御ユニット３は、一般に、照明ユニット２によって発せられる光を制御するよう構成される。とりわけ、更に図２を参照すれば、制御ユニット３は、（一般に、ユーザ（図示せず）からのユーザーインターフェース５を介した入力に対する応答として、）照明ユニット２によって発せられる光の強度を、ハイの設定８から中間の設定７を介してローの設定６へ、及び／又はその逆に、変更するよう構成され、ローの設定６及びハイの設定８は、照明ユニット２によって発せられる光の、中間の設定７より高い色温度を各々与える。機能照明（「昼光」）のために用いられ得るハイの設定８は、高い強度及び高い色温度、例えば、4000Kにおいて5lm/cm2を有し得る。中間の設定７は、例えば、2000Kにおいて1lm/cm2であり得る。夜間照明のために用いられ得るローの設定６は、非常に低い強度及び高い色温度、例えば、4150Kにおいて0.2lm/cm2を有し得る。
【００２９】
一般に、ハイの設定８は、2700Kより高い、好ましくは3000Kより高い、より好ましくは3500Kより高い色温度を有してもよく、中間の設定７は、2700K未満の、好ましくは2600K未満の、より好ましくは2500K未満の色温度を有し、ローの設定６は、2700Kより高い、好ましくは3000Kより高い、より好ましくは3500Kより高い色温度を有する。更に、ローの設定６の色温度は、ハイの設定８の色温度より高くてもよく、ハイの設定８の色温度は、（上記の例と同様に）中間の設定７の色温度より高い。他の例においては、ハイの設定８の色温度は、ローの設定６の色温度より大きくてもよく、ローの設定の色温度は、中間の設定の色温度より大きい。更に、ハイの設定８の強度は、少なくとも300lmであり得る。
【００３０】
照明デバイス１の動作において、照明ユニット２によって発せられる光の強度（及び色温度）は、少なくとも、上述したローの設定６と、中間の設定７と、ハイの設定８との間で、即ち、ハイの設定８から中間の設定７を介してローの設定６へ、及び／又はローの設定６から中間の設定７を介してハイの設定８へ、変更される。
【００３１】
夜間照明又は常夜灯は、睡眠及び休息のために有益であるリラックス感を与える月からの光を模倣しているので、夜間照明又は常夜灯にはローの設定６の高い色温度が有益である。月からの光又は月の明かりは、月の表面の、太陽の光が当たる部分から反射される、大部分は日光から成り、幾らかの星の明かり及び地球の明かりを有する、月から地球に到達する光である。月の明かりは、例えば、4100又は4150Kの色温度を有し得る。
【００３２】
満月は、一般に、1lux未満の照明を供給する。照明レベルは、月が地球上のどこで見られているかと、月の太陰周期とに依存する。制御ユニット３は、後者を考慮して、月の太陰周期のデータに基づいてローの設定６の強度及び色温度を調節するよう構成されてもよい。例えば、ローの設定６は、満月においては、他の太陰周期（月相）における強度及び色温度より高い強度及び色温度を有してもよい。月の太陰周期のデータは、受信機９を介して外部から受信されてもよく、又は照明デバイス１のクロックモジュール１０においてローカルに記憶されてもよい。
【００３３】
制御ユニット３は、照明ユニット２によって発せられる光の強度及び色温度を、同時に、徐々に、３つの設定６乃至８の間で、即ち、図２において点線１１によって示されているように、ハイの設定８から中間の設定７を介してローの設定６へ、及び／又はその逆に、変更するよう動作可能であり得る。このために、ユーザーインターフェース５は、ユーザが、照明ユニット２によって発せられる光の強度及び色温度を、同時に、徐々に、例えば、ハイの設定８から、中間の設定７へ、更にローの設定６へ、及び／又はその逆に（即ち、ローの設定６から中間の設定７を介してハイの設定８へ）、変更することを可能にするよう構成される入力手段１２を含み得る。入力手段１２は、ここでは、（物理的な又はバーチャルな）スライドボタンである。
【００３４】
更に、制御ユニット３は、図２において参照符号１３によって示されているブレークポイント・ルーメン出力において、（強度を徐々に変更しながら、）照明ユニット２によって発せられる光の色温度を低下させるのを止めて、上昇させ始めるよう構成されてもよい。ブレークポイント・ルーメン出力１３は、50乃至100lmの範囲内、好ましくは50乃至80lmの範囲内、より好ましくは50乃至70lmの範囲内であり得る。ブレークポイント・ルーメン出力１３はまた、80lm未満、好ましくは70lm未満、より好ましくは60lm未満であり得る。例えば、ブレークポイント・ルーメン出力１３が55lmである場合には、55lmのルーメン出力において、月の明かり状態を模倣するよう、強度を低下させながらのより高い色温度への切り替えが生じる。
【００３５】
更に、強度及び色温度の同時及び徐々の変更は、線形であってもよく（図２）、又は非線形であってもよい（図３）。
【００３６】
更に、照明ユニット２によって発せられる光の色温度における徐々の変更は、黒体線ＢＢＬに従ってもよい（図４ａのCIE 1931 ｘｙ色度空間内の点線を参照）。色温度における徐々の変更は、他の例においては、ＢＢＬの近く（図４ｂ）、例えば、ＢＢＬから、20 SDCM（カラーマッチングの標準偏差）以内、より好ましくは15 SDCM以内、最も好ましくは10 SDCM以内、例えば5 SDCMであってもよい。更に別の変形例においては、色温度における徐々の変更は、（例えば、>3000K又は>4000Kの）高い色温度においてだけ黒体線に従ってもよい（図４ｃ参照）。図４ｃにおいては、ハイの設定８と中間の設定７との間の色温度の徐々の変更は、点線によって示されているようにＢＢＬに従い得るが、中間の設定７とローの設定６との間の色温度の徐々の変更は、「十字破線」によって示されているように＞4000KでしかＢＢＬに従わない。
【００３７】
更に、発せられる光が、両方の設定において同じ（高い）色温度を有する場合であっても、ハイの設定８において照明ユニット２によって発せられる光は、ローの設定６において照明ユニット２によって発せられる光とは異なるスペクトルを有してもよい。これは、昼光及び常夜灯を模倣するのに役立つ。日光は、一般に、6000Kから3000Kまでの範囲内の色温度を有する。夕焼けは、一般に、2000Kから1000Kまでの範囲内の色温度を有する。月の明かりは、一般に、3500Kから5000Kまでの範囲内の色温度を有する。従って、昼光及び常夜灯は、同じ高い色温度を有し得る。しかしながら、昼光及び常夜灯のスペクトルは、異なってもよい。
【００３８】
例えば、ハイの設定８において照明ユニット２によって発せられる光は、460乃至480nmの範囲内に波長ピークを有する青色光で作成されることができ、ローの設定６において照明ユニット２によって発せられる光は、440乃至460nmの範囲内に波長ピークを有する青色光で作成されることができる。このために、照明ユニット２は、赤色光源４ａと、緑色４ｂと、２つの異なる青色光源４ｃ'及び４ｃ"とを有してもよい（図５参照）。２つの青色光源４ｃ'及び４ｃ"は、コントローラ１４によって選択的に作動可能であり、互いに異なる波長ピーク、例えば、ハイの設定８のための470nm及びローの設定６のための440nmを備える青色光を発するよう適合される。使用中、ハイの設定８において発せられる光は、赤色光源４ａ、緑色光源４ｂ及び（440nmの青色光源４ｃ"ではなく）470nmの青色光源４ｃ'を作動させることによって作成されるのに対して、ローの設定６において発せられる光は、赤色光源４ａ、緑色光源４ｂ及び（470nmの青色光源４ｃ'ではなく）440nmの青色光源４ｃ"を作動させることによって作成される。
【００３９】
別の変形例においては、ハイの設定８において照明ユニット２によって発せられる光は、600乃至650nmの範囲内に波長ピークを有する赤色光で作成されることができ、ローの設定６において照明ユニット２によって発せられる光は、650乃至670nmの範囲内に波長ピークを有する赤色光で作成されることができる。このために、照明ユニット２は、青色光源４ｃと、緑色４ｂと、２つの異なる赤色光源４ａ'及び４ａ"とを有してもよい（図６参照）。２つの赤色光源４ａ'及び４ａ"は、コントローラ１４によって選択的に作動可能であり、互いに異なる波長ピーク、例えば、ハイの設定８のための625nm及びローの設定６のための660nmを備える赤色光を発するよう適合される。使用中、ハイの設定８において発せられる光は、青色光源４ｃ、緑色光源４ｂ及び（660nmの赤色光源４ａ"ではなく）625nmの赤色光源４ａ'を作動させることによって作成されるのに対して、ローの設定６において発せられる光は、青色光源４ｃ、緑色光源４ｂ及び（625nmの赤色光源４ａ'ではなく）660nmの赤色光源４ａ"を作動させることによって作成される。
【００４０】
図５及び６の変形例は、組み合わされてもよい。とりわけ、２つの異なる青色光源４ｃ'及び４ｃ"の間の波長差が大きい場合には、異なる赤色光源４ａ'及び４ａ"で補償することは有用であり得る。
【００４１】
図７においては、照明ユニット２は、異なる色温度の白色光を発するよう適合される蛍光体変換発光ダイオード（ＬＥＤ）を有する。即ち、照明ユニット２は、（より）冷たい光を発するための蛍光体１５'を備える第１青色ＬＥＤ４ｃと、（より）暖かい光を発するための異なる蛍光体１５"備える第２青色ＬＥＤ４ｃとを有する。このやり方においては、ハイの設定８、中間の設定７及びローの設定６は、図７において概略的に図示されているように、蛍光体変換発光ダイオード４ｃ＋１５'及び４ｃ＋１５"の光を適切に組み合わせる又は混ぜ合わせることによって、２つの光源、又は少なくとも、２つのタイプの光源だけを用いて、達成され得る。
【００４２】
図８乃至９においては、ユーザーインターフェース５は、ユーザが、２つのモード、即ち、通常のＢＢＬ調光モード、及び多機能調光可能な常夜灯モードの間で選択することを可能にする２つの付加的な入力手段１６ａ及び１６ｂを有する。通常のＢＢＬ調光モードは、付加的な入力手段１６ａを作動させることによって選択され、多機能調光可能な常夜灯モードは、付加的な入力手段１６ｂを作動させることによって選択される。通常のＢＢＬ調光モード（図８）においては、制御ユニット２は、 ユーザ操作入力手段１２に対する応答として、照明ユニットによって発せられる光の強度及び色温度を、同時に、徐々に、ハイの設定８と中間の設定７との間で変更するよう動作可能である。多機能調光可能な常夜灯モード（図９）においては、制御ユニット２は、ユーザ操作入力手段１２に対する応答として、照明ユニットによって発せられる光の強度及び色温度を、同時に、徐々に、ハイの設定８とローの設定６との間で中間の設定７を介して変更するよう動作可能である。
【００４３】
図１０乃至１１においては、ユーザーインターフェース６は、ユーザが第１照明設定と第２照明設定との間で選択することを可能にする２つの付加的な入力手段１６ｃ及び１６ｄを有する。第１照明設定は、付加的な入力手段１６ｃを作動させることによって選択され、第２照明設定は、付加的な入力手段１６ｄを作動させることによって選択される。第１照明設定（図１０）においては、ローの設定６の強度は、＞0であり、即ち、照明ユニット２は、常にオンである。第２照明設定（図１１）においては、ローの設定６の強度は、0であり、即ち、照明ユニット２は、完全にオフである。
【００４４】
図１２乃至１３は、各々が少なくとも１つの照明デバイス１を有する異なる照明装置を示している。図１２においては、照明装置は、ランプ１００ａである。図１３においては、照明装置は、照明器具１００ｂである。各照明装置は、光出射窓又は面、例えば、ランプ１００ａのバルブ１０１を含み得る。光出射窓又は面１０１を与えられると、上述のブレークポイント１３は、0.5lm/cm2未満の、好ましくは0.4lm/cm2未満の、より好ましくは0.3lm/cm2未満の光出射窓又は面１０１における強度と定義され得る。
【００４５】
当業者は、本発明が、決して、上記の好ましい実施例に限定されないことを理解している。逆に、添付の特許請求の範囲の範囲内で多くの修正及び変更が可能である。
【００４６】
更に、請求項記載の発明の実施において、図面、明細及び添付の特許請求の範囲の研究から、当業者によって、開示されている実施例に対する変更が、理解され、行われ得る。特許請求の範囲において、「有する」という用語は、他の要素又はステップを除外せず、単数形表記は、複数性を除外しない。単に、或る特定の手段が互いに異なる従属請求項において挙げられているという事実は、これらの手段の組み合わせが有利には用いられることができないことを示すものではない。
【要約】
光を発するよう構成される照明ユニット２と、前記照明ユニット２によって発せられる前記光を制御するよう構成される制御ユニット３とを有する照明デバイス１であって、前記制御ユニット３が、前記照明ユニット２によって発せられる前記光の強度を、少なくとも、ハイの設定８から中間の設定７を介してローの設定６へ、及び／又はその逆に、変更するよう構成され、前記ハイの設定の前記強度が、前記中間の設定の前記強度より高く、前記中間の設定の前記強度が、前記ローの設定の前記強度より高く、前記ローの設定６及び前記ハイの設定８が、前記照明ユニット２によって発せられる前記光の、前記中間の設定７より高い色温度を各々与える照明デバイス１が提供される。【図１】
0006764551.tif 000002
【図２】
0006764551.tif 000003
【図３】
0006764551.tif 000004
【図４ａ】
0006764551.tif 000005
【図４ｂ】
0006764551.tif 000006
【図４ｃ】
0006764551.tif 000007
【図５】
0006764551.tif 000008
【図６】
0006764551.tif 000009
【図７】
0006764551.tif 000010
【図８】
0006764551.tif 000011
【図９】
0006764551.tif 000012
【図１０】
0006764551.tif 000013
【図１１】
0006764551.tif 000014
【図１２】
0006764551.tif 000015
【図１３】
0006764551.tif 000016